(57)【要約】【課題】コストが安い、表示部以外に大きなスペースを必要としない、表示装置を提供する。【解決手段】制御部３〜３ｃと、表示データを記憶するメモリ６〜６ｃと、前記制御部３〜３ｃの指示により、表示部７〜７ｃに対して、前記表示データを出力する表示制御部５〜５ｃとを備えた表示体８〜８ｃを複数個有し、一つの前記制御部からなる第１制御部３は同期信号を生成し、他の前記制御部からなる第２制御部３ａ〜３ｃは前記同期信号を受け取る構成とした。【選択図】図１
2005077643.tif 000002
【特許請求の範囲】
【請求項１】
制御部と、表示データを記憶するメモリと、前記制御部の指示により、表示部に対して、前記表示データを出力する表示制御部とを備えた表示体を複数個有し、一つの前記制御部からなる第１制御部は同期信号を生成し、他の前記制御部からなる第２制御部は前記同期信号を受け取る構成とした事を特徴とする表示装置。
【請求項２】
配線群を設け、前記第１制御部の出力ポートは、前記配線群を介して前記第２制御部の入力ポートに接続され、前記第１制御部の入力ポートは、前記配線群を介して前記第２制御部の出力ポートに接続されている事を特徴とする請求項１の表示装置。
【請求項３】
前記複数の表示部は近接して配置され、前記同期信号が生成され、受け取られる事により、前記各表示体が同時に表示を開始する事を特徴とする請求項１の表示装置。
【請求項４】
前記表示体は入力部を有し、前記入力部に対し、所定の第１入力が行われる事により、前記表示体が単独で動作するモードと、前記制御部が前記同期信号を生成するモードと、前記制御部が前記同期信号を受け取るモードの中で、一つのモードが選択される事を特徴とする請求項１の表示装置。
【請求項５】
前記表示体は入力部を有し、前記入力部に対し、所定の第２入力が行われる事により、表示のスタート位置および画面サイズが選択され、前記表示部は前記第２入力に従う範囲のみを表示する事を特徴とする請求項１の表示装置。
【発明の詳細な説明】
【技術分野】
【０００１】
本発明は表示装置に関する。
【背景技術】
【０００２】
従来、この種の装置は、例えば特許文献１に示されている。この特許文献１の図１によると、制御部１０８と、表示データを記憶するメモリ１０１，１０２と、表示データを出力する表示制御部１０５と、表示部１１とを備えた表示体１，２を複数個有する表示装置が示されている。
【特許文献１】特開平６−２１４５３４号公報
【発明の開示】
【発明が解決しようとする課題】
【０００３】
上記装置では、表示体１，２の表示タイミングを制御するために、表示体１，２の外部に、システムコントローラ１０を設けている。そのために、表示装置全体として、コストが高くなる、第１の欠点がある。
【０００４】
更に上記装置では、システムコントローラ１０と、表示体１，２との間に、データバス３０と、アドレスバス４０を設けている。そのため、表示装置全体として、表示部以外に大きなスペースを必要とする、第２の欠点がある。そこで、本発明はこの様な従来の欠点を考慮して、コストが安い、表示部以外に大きなスペースを必要としない、表示装置を提供する。
【課題を解決するための手段】
【０００５】
上記課題を解決するために、請求項１の本発明では、制御部と、表示データを記憶するメモリと、前記制御部の指示により、表示部に対して、前記表示データを出力する表示制御部とを備えた表示体を複数個有し、一つの前記制御部からなる第１制御部は同期信号を生成し、他の前記制御部からなる第２制御部は前記同期信号を受け取る構成とした。
【０００６】
請求項２の本発明では、配線群を設け、前記第１制御部の出力ポートは、前記配線群を介して前記第２制御部の入力ポートに接続され、前記第１制御部の入力ポートは、前記配線群を介して前記第２制御部の出力ポートに接続されている。
【０００７】
請求項３の本発明では、前記複数の表示部は近接して配置され、前記同期信号が生成され、受け取られる事により、前記各表示体が同時に表示を開始する。
【０００８】
請求項４の本発明では、前記表示体は入力部を有し、前記入力部に対し、所定の第１入力が行われる事により、前記表示体が単独で動作するモードと、前記制御部が前記同期信号を生成するモードと、前記制御部が前記同期信号を受け取るモードの中で、一つのモードが選択される。
【０００９】
請求項５の本発明では、前記表示体は入力部を有し、前記入力部に対し、所定の第２入力が行われる事により、表示のスタート位置および画面サイズが選択され、前記表示部は前記第２入力に従う範囲のみを表示する。
【発明の効果】
【００１０】
請求項１の本発明では、制御部と、表示データを記憶するメモリと、制御部の指示により、表示部に対して、表示データを出力する表示制御部とを備えた表示体を複数個有し、一つの制御部からなる第１制御部は同期信号を生成し、他の制御部からなる第２制御部は前記同期信号を受け取る構成とした。上記構成の様に、表示体を構成する第１制御部が第２制御部を制御し、表示タイミングを指示するので、従来の様に、表示体の外部にシステムコントローラを設ける必要がないから、従来品に比べ、コストが安くなる。また上記の様に、表示体の外部にシステムコントローラを設けないので、表示部以外に大きなスペースを必要としない。
【００１１】
請求項２の本発明では、配線群を設け、第１制御部の出力ポートは、配線群を介して第２制御部の入力ポートに接続され、第１制御部の入力ポートは、配線群を介して第２制御部の出力ポートに接続されている。上記構成の様に、第２制御部の出力ポートは第１制御部の入力ポートに接続されているので、第１制御部は自分の入力ポートがＨｉかＬｏかを判定する事により、第２制御部がレディ状態である事を察知できる。
【００１２】
請求項３の本発明では、複数の表示部は近接して配置され、同期信号が生成され、受け取られる事により、各表示体が同時に表示を開始する。上記構成により、複数の表示部は同時に表示され、かつ近接して配置されているので、上記複数の表示部からなる一つの表示部は高品質の表示を提供する。
【００１３】
請求項４の本発明では、表示体は入力部を有し、入力部に対し、所定の第１入力が行われる事により、表示体が単独で動作するモードと、制御部が前記同期信号を生成するモードと、制御部が同期信号を受け取るモードの中で、一つのモードが選択される。上記構成により、表示体は単独で動作できるし、また、複数個の表示体が組み合わされて、１個の大型表示体として動作できる。
【００１４】
請求項５の本発明では、表示体は入力部を有し、入力部に対し、所定の第２入力が行われる事により、表示のスタート位置および画面サイズが選択され、表示部は第２入力に従う範囲のみを表示する。上記構成により、入力された表示データを各表示体に分割でき、複数個の表示体が組み合わされた時、一つの画面として、高品質な表示を与える。
【発明を実施するための最良の形態】
【００１５】
以下に、図１に従い、本発明を実施するための最良の形態に係る表示装置１を説明する。図１は表示装置１のブロック図である。図１において、入力部２は例えば、端子（図示せず）と、複数のキー（図示せず）等からなる。端子は外部からの信号を受け付ける部品である。端子は例えば、ＬＡＮ回線の一端近傍に接続され、他端はサーバ（図示せず）を介してインターネットに接続されている。
【００１６】
制御部３は例えば、ＣＰＵ等からなる。制御部３はＲＯＭ（図示せず）に接続されている。このＲＯＭには、制御部３の制御プログラムが記憶されている。制御部３は入力部２に接続されている。
【００１７】
また、制御部３はデータバス４を介して、表示制御部５に接続されている。表示制御部５はコントローラであり、例えばＩＣ（集積回路素子）等からなる。メモリ６は例えばＲＡＭ等からなり、データバス４に接続されている。
【００１８】
表示部７は例えば４０インチの液晶パネルと、駆動部（図示せず）等からなる。液晶パネルは例えば、２枚のガラス板の中に液晶が封入されたものである。下ガラス板の表面上に、複数のソース電極と、複数のゲート電極とが行列状に形成され、各画素毎に、各ＴＦＴが形成されている。表示部７は表示制御部５に接続されている。
【００１９】
駆動部は例えば、ソースドライバと、ゲートドライバ等からなる。ソースドライバは複数のソース電極に接続されている。ゲートドライバは、複数のゲート電極に接続されている。この様に、駆動部は、液晶パネルに設けられた各ソース電極および各ゲート電極を駆動するものである。これらの入力部２と、制御部３と、データバス４と、表示制御部５とメモリ６と、表示部７等により、表示体８が構成されている。
【００２０】
表示体８において、入力部２に所定の入力がなされると、制御部３はインターネットに接続されたプロバイダーサーバ（図示せず）に対し、所定の信号（例えば、広告情報であり、複数の文字コード等からなる）を要求する。
【００２１】
上記広告情報は、プロバイダーサーバから、インターネットとサーバとＬＡＮ回線と端子を介して、制御部３へ入力される。制御部３は、上記広告情報（文字コード等）を表示データ（Ｒ，Ｇ，Ｂのディジタル値）に変換し、メモリ６内に、この表示データを保存させる。表示制御部５は制御部３の指示により、メモリ６内に保存された表示データを、表示部７へ出力する。
【００２２】
上記内容をまとめる。制御部３が設けられ、表示データを記憶するメモリ６が設けられている。表示体８において、制御部３の指示により、表示部７に対して、表示データを出力する表示制御部５が設けられている。
【００２３】
入力部２ａ，２ｂ，２ｃの構成は、入力部２と同一である。制御部３ａ，３ｂ，３ｃの構成は制御部３と同一である。データバス４ａ，４ｂ，４ｃの構成はデータバス４と同一である。表示制御部５ａ，５ｂ，５ｃの構成は表示制御部５と同一である。メモリ６ａ，６ｂ，６ｃの構成はメモリ６と同一である。表示部７ａ，７ｂ，７ｃの構成は表示部７と同一である。
【００２４】
これらの入力部２ａと、制御部３ａと、データバス４ａと、表示制御部５ａと、メモリ６ａと、表示部７ａとにより、表示体８ａは構成されている。
【００２５】
これらの入力部２ｂと、制御部３ｂと、データバス４ｂと、表示制御部５ｂと、メモリ６ｂと、表示部７ｂとにより、表示体８ｂは構成されている。
【００２６】
これらの入力部２ｃと、制御部３ｃと、データバス４ｃと、表示制御部５ｃと、メモリ６ｃと、表示部７ｃとにより、表示体８ｃは構成されている。この様に、表示装置１は、複数個の表示体８，８ａ，８ｂ，８ｃを有している。
【００２７】
制御部３の出力ポート９は、リード線１０を介して、リード線１１に接続されている。リード線１１の左端は、制御部３ｂの入力ポート１２ｂに接続されている。リード線１１の右端は、制御部３ｃの入力ポート１２ｃに接続されている。制御部３の出力ポート９はリード線１０の１部およびリード線１３を介して、制御部３ａの入力ポート１４ａに接続されている。
【００２８】
制御部３の入力ポート１５は、リード線１６と、リード線１７の１部とを介して、リード線１８に接続されている。リード線１８の左端は、制御部３ｂの出力ポート９ｂに接続されている。リード線１８の右端は、制御部３ｃの出力ポート９ｃに接続されている。リード線１７の一端は、制御部３ａの出力ポート９ａに接続されている。
【００２９】
これらのリード線１０，１１，１３，１６，１７，１８等により、配線群１９が構成されている。第１制御部（即ち、制御部３のこと）の出力ポート９は配線群１９を介して第２制御部（即ち、制御部３ａ，３ｂ，３ｃのこと）の入力ポート１４ａ，１２ｂ，１２ｃに接続されている。第１制御部３の入力ポート１５は、配線群１９を介して、第２制御部３ａ，３ｂ，３ｃの出力ポート９ａ，９ｂ，９ｃに接続されている。
【００３０】
これらの表示体８，８ａ，８ｂ，８ｃと、配線群１９等のより、表示装置１は構成されている。この表示装置１において、複数の表示部７，７ａ，７ｂ，７ｃは互いに近接して配置されている。これらの表示部７，７ａ，７ｂ，７ｃから構成される表示部２０は、８０インチの大画面となる。
【００３１】
次に、図１と図２に従い、この表示装置１に用いられるメモリの記憶動作を説明する。図２は、表示装置１に用いられる各メモリ６，６ａ，６ｂ，６ｃにおける、メモリ内容の模式図である。
【００３２】
これらの図において、使用者は最初に、制御部３が第１制御部（マスタ）である事を認識する。使用者は配線群１９において、入力ポート１４ａ，１２ｂ，１２ｃに接続される出力ポート９を持つ制御部が制御部３である事を確認する事により、使用者は、制御部３が第１制御部であると、判断する。
【００３３】
次に使用者は、表示体８の入力部２に設けられた動作モードキー（図示せず）を押下げて、「マスタ」を選択する（これを第１入力と呼ぶ）。その結果、制御部３は、メモリ６の動作モード領域２１において、制御部３が同期信号を生成するモード（マスタモード）に設定し、上記モードを記憶させる。
【００３４】
その後に使用者は、表示体８の入力部２に設けられた表示位置キー（図示せず）を押下げて、「１行１列」を選択する（これを、第２入力と呼ぶ）。その結果、制御部３はメモリ６の表示位置領域２２において、表示のスタート位置および画面サイズを設定し、記憶させる。
【００３５】
例えば、図２の表示領域２２において、Ｘ方向のスタート位置＝第１ドット目、Ｙ方向のスタート位置＝第１ドット目、Ｘ方向のサイズ＝１２８０ドット、Ｙ方向のサイズ＝７６８ドットが記憶される。
【００３６】
次に使用者は、表示体８の入力部２に設けられた表示データキー（図示せず）を押下げる。その結果、制御部３はメモリ６の表示データ領域２３において、表示データを記憶させる。
【００３７】
表示データは例えば、パターン１、パターン２、・・・、パターン１０等からなる。プロバイダーサーバが供給する広告情報（文字コード等）の第１頁目が表示データに変換され、メモリ６に記憶されたものがパターン１である。同様にして、上記広告情報の第１０頁目が表示データに変換され、メモリ６に記憶されたものがパターン１０である。この様にして、メモリ６の記憶（登録）動作が終了する。
【００３８】
次に使用者は、制御部３ａが第２制御部（スレーブ）である事を認識する。使用者は配線群１９において、出力ポート９に接続される入力ポート１４ａを持つ制御部が制御部３ａである事を確認する事により、使用者は、制御部３ａが第２制御部であると、判断する。
【００３９】
そして使用者は、表示体８ａの入力部２ａに設けられた動作モードキー（図示せず）を押下げて、「スレーブ」を選択する（これを第１入力と呼ぶ）。その結果、制御部３ａはメモリ６ａの動作モード領域２１において、制御部３ａが同期信号を受け取るモード（スレーブモード）に設定し、上記モードを記憶させる。
【００４０】
その後に使用者は、表示体８ａの入力部２ａに設けられた表示位置キー（図示せず）を押下げて、「１行２列」を選択する（これを、第２入力と呼ぶ）。その結果、制御部３ａはメモリ６ａの表示位置領域２２において、表示のスタート位置および画面サイズを設定し、記憶させる。
【００４１】
例えば、図２の表示領域２２において、Ｘ方向のスタート位置＝第１２８１ドット目、Ｙ方向のスタート位置＝第１ドット目、Ｘ方向のサイズ＝１２８０ドット、Ｙ方向のサイズ＝７６８ドットが記憶される。
【００４２】
次に使用者は、表示体８ａの入力部２ａに設けられた表示データキー（図示せず）を押下げる。その結果、制御部３ａはメモリ６ａの表示データ領域２３において、表示データを記憶させる。
【００４３】
表示データは例えば、パターン１、パターン２、・・・、パターン１０等からなる。プロバイダーサーバが供給する広告情報（文字コード等）の第１頁目が表示データに変換され、メモリ６ａに記憶されたものがパターン１である。同様にして、上記広告情報の第１０頁目が表示データに変換され、メモリ６ａに記憶されたものがパターン１０である。この様にして、メモリ６ａの記憶（登録）動作が終了する。
【００４４】
次に使用者は、制御部３ｂが第２制御部（スレーブ）である事を認識する。使用者は配線群１９において、出力ポート９に接続される入力ポート１２ｂを持つ制御部が制御部３ｂである事を確認する事により、使用者は、制御部３ｂが第２制御部であると、判断する。
【００４５】
そして使用者は、表示体８ｂの入力部２ｂに設けられた動作モードキー（図示せず）を押下げて、「スレーブ」を選択する（これを第１入力と呼ぶ）。その結果、制御部３ｂはメモリ６ｂの動作モード領域２１において、制御部３ｂが同期信号を受け取るモード（スレーブモード）に設定し、上記モードを記憶させる。
【００４６】
その後に使用者は、表示体８ｂの入力部２ｂに設けられた表示位置キー（図示せず）を押下げて、「２行１列」を選択する（これを、第２入力と呼ぶ）。その結果、制御部３ｂはメモリ６ｂの表示位置領域２２において、表示のスタート位置および画面サイズを設定し、記憶させる。
【００４７】
例えば、図２の表示領域２２において、Ｘ方向のスタート位置＝第１ドット目、Ｙ方向のスタート位置＝第７６９ドット目、Ｘ方向のサイズ＝１２８０ドット、Ｙ方向のサイズ＝７６８ドットが記憶される。
【００４８】
次に使用者は、表示体８ｂの入力部２ｂに設けられた表示データキー（図示せず）を押下げる。その結果、制御部３ｂはメモリ６ｂの表示データ領域２３において、表示データを記憶させる。
【００４９】
表示データは例えば、パターン１、パターン２、・・・、パターン１０等からなる。プロバイダーサーバが供給する広告情報（文字コード等）の第１頁目が表示データに変換され、メモリ６ｂに記憶されたものがパターン１である。同様にして、上記広告情報の第１０頁目が表示データに変換され、メモリ６ｂに記憶されたものがパターン１０である。この様にして、メモリ６ｂの記憶（登録）動作が終了する。
【００５０】
次に使用者は、制御部３ｃが第２制御部（スレーブ）である事を認識する。使用者は配線群１９において、出力ポート９に接続される入力ポート１２ｃを持つ制御部が制御部３ｃである事を確認する事により、使用者は、制御部３ｃが第２制御部であると、判断する。
【００５１】
そして使用者は、表示体８ｃの入力部２ｃに設けられた動作モードキー（図示せず）を押下げて、「スレーブ」を選択する（これを第１入力と呼ぶ）。その結果、制御部３ｃはメモリ６ｃの動作モード領域２１において、制御部３ｃが同期信号を受け取るモード（スレーブモード）に設定し、上記モードを記憶させる。
【００５２】
その後に使用者は、表示体８ｃの入力部２ｃに設けられた表示位置キー（図示せず）を押下げて、「２行２列」を選択する（これを、第２入力と呼ぶ）。その結果、制御部３ｃはメモリ６ｃの表示位置領域２２において、表示のスタート位置および画面サイズを設定し、記憶させる。
【００５３】
例えば、図２の表示領域２２において、Ｘ方向のスタート位置＝第１２８１ドット目、Ｙ方向のスタート位置＝第７６９ドット目、Ｘ方向のサイズ＝１２８０ドット、Ｙ方向のサイズ＝７６８ドットが記憶される。
【００５４】
次に使用者は、表示体８ｃの入力部２ｃに設けられた表示データキー（図示せず）を押下げる。その結果、制御部３ｃはメモリ６ｃの表示データ領域２３において、表示データを記憶させる。
【００５５】
表示データは例えば、パターン１、パターン２、・・・、パターン１０等からなる。プロバイダーサーバが供給する広告情報（文字コード等）の第１頁目が表示データに変換され、メモリ６ｃに記憶されたものがパターン１である。同様にして、上記広告情報の第１０頁目が表示データに変換され、メモリ６ｃに記憶されたものがパターン１０である。この様にして、メモリ６，６ａ，６ｂ，６ｃの記憶（登録）動作が終了する。
【００５６】
上記説明と異なり、例えば使用者は、表示体８ｃの入力部２ｃに設けられた動作モードキーを押下げて「スタンドアロン」を選択したものとする（これを第１入力と呼ぶ）。その結果、制御部３ｃは、メモリ６ｃの動作モード領域２１において、表示体８ｃが単独で動作するモード（スタンドアロンモード）に設定し、記憶させる。
【００５７】
次に使用者は、表示体８ｃの入力部２ｃに設けられたスタートキー（図示せず）を押下げる。その結果、制御部３ｃはメモリ６ｃ内に、パターン１〜パターン１０からなる表示データを記憶させる。
【００５８】
そして、制御部３ｃの指示により、表示制御部５ｃは、上記表示データをメモリ６ｃから取り出して、表示部７ｃに対し、表示データを出力する。その結果、表示部７ｃは、上記表示データに従った表示を行う。この様に、スタンドアロンモードが選択されると、表示体８ｃは単独で動作し、表示動作を行う。
【００５９】
上記動作の特徴をまとめる。表示体８，８ａ，８ｂ，８ｃは入力部２，２ａ，２ｂ，２ｃを有している。入力部２，２ａ，２ｂ，２ｃに対し、所定の第１入力が行われる事により、表示体８，８ａ，８ｂ，８ｃが単独で動作するモードと、制御部３が同期信号を生成するモードと、制御部３ａ，３ｂ，３ｃが同期信号を受け取るモードの中で、一つのモードが選択される。
【００６０】
更に、入力部２，２ａ，２ｂ，２ｃに対し、所定の第２入力が行われる事により、表示のスタート位置および画面サイズが選択される。
【００６１】
次に、図１ないし図３に従い、この表示装置１における表示動作を説明する。図３は、この表示装置１の主要動作を示すフローチャートである。最初に、使用者は、表示装置１に設けられたスタートキー（図示せず）を押下する事により、制御部３，３ａ，３ｂ，３ｃの制御動作がスタートする。
【００６２】
制御部３，３ａ，３ｂ，３ｃは、各出力ポート９，９ａ，９ｂ，９ｃをＬｏに設定する（図３のＳ１を参照）。次に、制御部３〜３ｃは、各メモリ６，６ａ，６ｂ，６ｃの表示データとして、パターン１を設定（選択）する（Ｓ２参照）。
【００６３】
そして、制御部３〜３ｃは、各メモリ６〜６ｃの動作モードがスタンドアロンか否かを判定する（Ｓ３参照）。上記説明では、各メモリ６〜６ｃ内において、マスタモード又はスレーブモードが選択（記憶）されているので、制御部３〜３ｃは、Ｓ３の判定を否定する。
【００６４】
次に、制御部３〜３ｃは、各メモリ６〜６ｃの動作モードがマスタモードか否かを判定する（Ｓ４参照）。制御部３は、メモリ６がマスタモードであるので、Ｓ４の判定を肯定する。制御部３，３ａ，３ｂ，３ｃは、メモリ６ａ，６ｂ，６ｃがスレーブモードであるので、Ｓ４の判定を否定する。
【００６５】
そして制御部３は、出力ポート９をＨｉに設定する（Ｓ５参照）。出力ポート９は、入力ポート１４ａ，１２ｂ，１２ｃに接続されているので、入力ポート１４ａ，１２ｂ，１２ｃはＨｉに設定されている。その結果、制御部３ａ，３ｂ，３ｃは「入力ポートがＨｉか」の判定を肯定する（Ｓ６参照）。
【００６６】
次に、制御部３ａ，３ｂ，３ｃは、各出力ポート９ａ，９ｂ，９ｃをＨｉに設定する（Ｓ７参照）。出力ポート９ａ，９ｂ，９ｃは入力ポート１５に接続されているので、この時入力ポート１５はＨｉに設定されている。
【００６７】
その結果、制御部３は「入力ポート１５はＨｉか」の判定を肯定する（Ｓ８参照）。この様に、制御部３は表示を開始する前に、制御部３ａ，３ｂ，３ｃがレディ状態である事を、自分の入力ポート１５の状態で確認する（Ｓ８参照）。
【００６８】
次に制御部３は、出力ポート９をＬｏに切り替える（Ｓ９参照）。この様に、制御部３の出力ポート９から出力された立下り信号を同期信号と呼ぶ。即ち、Ｓ９において、一つの制御部からなる第１制御部３は、同期信号を生成する。
【００６９】
出力ポート９は、入力ポート１４ａ，１２ｂ，１２ｃに接続されているので、この時、入力ポート１４ａ，１２ｂ，１２ｃは、ＨｉからＬｏへと立下がる（立下り信号を受け取る）。即ち、他の制御部３ａ，３ｂ，３ｃからなる第２制御部は同期信号(上記立下り信号のこと)を受け取り、「入力ポートはＬｏか」の判定を肯定する（Ｓ１０参照）。
【００７０】
次に、制御部３，３ａ，３ｂ，３ｃは、データＮＯ１（パターン１）の表示を開始させる（Ｓ１１参照）。即ち、制御部３は表示部７に対して、表示データ（パターン１）の中で、表示位置領域２２に示された第２入力に従う範囲（表示部２０の左上部分）のみを表示させる。
【００７１】
同様に、制御部３ａは表示部７ａに対して、表示データ（パターン１）の中で、第２入力に従う範囲（表示部２０の右上部分）のみを表示させる。
【００７２】
制御部３ｂは表示部７ｂに対して、表示データ（パターン１）の中で、第２入力に従う範囲（表示部２０の左下部分）のみを表示させる。また、制御部３ｃは表示部７ｃに対して、表示データ（パターン１）の中で、第２入力に従う範囲（表示部２０の右下部分）のみを表示させる。
【００７３】
また、上述の様に、同期信号が生成され（Ｓ９参照）、同期信号が受け取られる（Ｓ１０参照）事により、各表示体８，８ａ，８ｂ，８ｃは、同時に表示を開始する（Ｓ１１参照）。
【００７４】
次に、制御部３，３ａ，３ｂ，３ｃは、データＮｏを１つ繰り上げて、パターン２の表示データを指定する（Ｓ１２参照）。そして、制御部３〜３ｃは、データＮＯがデータ数以下か否かを判定する（Ｓ１３参照）。
【００７５】
上記説明では、データＮＯがＮＯ＝２（パターン２だから）であり、データ数が１０個だから、制御部３〜３ｃはＳ１３の判定を肯定する。
【００７６】
次に、制御部３〜３ｃは、ステップＳ３の直前へ戻り、ステップＳ３〜Ｓ１３の動作を繰り返す。この様にして、制御部３〜３ｃは、表示部２０において、パターン１〜パターン１０の表示を行わせた後、データＮＯを１１に設定する（Ｓ１２参照）。
【００７７】
この時、データＮＯ（＝１１）はデータ数を越えるので、制御部３〜３ｃは、ステップＳ１３の判定を否定し、ステップＳ２の直前へ戻る。
【００７８】
次に、制御部３〜３ｃは、データＮＯを１に設定し（Ｓ２参照）、ステップＳ３〜Ｓ１３の動作を繰り返す。この様にして、制御部３〜３ｃは、パターン１〜パターン１０の表示を繰り返し、表示させる。
【図面の簡単な説明】
【００７９】
【図１】本発明の最良の形態に係る表示装置１のブロック図である。
【図２】上記表示装置１に用いられメモリ６，６ａ，６ｂ，６ｃにおける、メモリ内容の模式図である。
【図３】上記表示装置１における，主要動作を示すフローチャートである。
【符号の説明】
【００８０】
３，３ａ，３ｂ，３ｃ  制御部
５，５ａ，５ｂ，５ｃ  表示制御部
６，６ａ，６ｂ，６ｃ  メモリ
７，７ａ，７ｂ，７ｃ  表示部
８，８ａ，８ｂ，８ｃ  表示体
１９  配線群
【図１】
2005077643.tif 000003
【図２】
2005077643.tif 000004
【図３】
2005077643.tif 000005